(57)【要約】【課題】本発明は、新設トラスセグメントを仮置きすることのできるリニューアル工法に用いられる門型揚重装置を提供する。【解決手段】  本発明に係る門型揚重装置２０は、乗客コンベアのリニューアル工法に用いられ、既設トラス１０の左右の枠部材１４に夫々複数立設される支柱フレーム２２を具えた門型揚重装置であって、前記支柱フレームは、左右で対向する少なくとも２対の支柱フレーム対２３ａ，２３ｂを具え、前記支柱フレーム対間には、それぞれ新設トラスセグメントの仮置き用フレーム４０が着脱可能に懸架される。【選択図】図５
2018158781.tif 000002
【特許請求の範囲】
【請求項１】
乗客コンベアのリニューアル工法に用いられ、既設トラスの左右の枠部材に夫々複数立設される支柱フレームを具えた門型揚重装置であって、
前記支柱フレームは、左右で対向する少なくとも２対の支柱フレーム対を具え、
前記支柱フレーム対間には、それぞれ新設トラスセグメントの仮置き用フレームが着脱可能に懸架される、
乗客コンベアのリニューアル工法に用いられる門型揚重装置。
【請求項２】
前記仮置き用フレームは断面略Ｌ字状であって、一方の辺が上向きとなるように配置される、
請求項１に記載の門型揚重装置。
【請求項３】
前記新設トラスセグメントには、前記仮置き用フレームの前記一方の辺が嵌まる凹みが形成されている、
請求項２に記載の門型揚重装置。
【請求項４】
前記仮置き用フレームは断面略コ字状であって、溝が上向きとなるように配置される、
請求項１に記載の門型揚重装置。
【発明の詳細な説明】
【技術分野】
【０００１】
本発明は、エスカレーター等の乗客コンベアをリニューアルする工法においてトラスセグメント等の揚重に用いられる門型揚重装置に関するものであり、より具体的には搬送途上の新設トラスセグメントを仮置きできる門型揚重装置に関するものである。
【背景技術】
【０００２】
エスカレーターにおいて、既設トラスを撤去することなく、既設トラスの内部空間に新設トラスを設置し、既設トラスに新設トラスを合体させるリニューアル工法が提案されている（特許文献１）。係るリニューアル工法によれば、エスカレーターのリニューアル工期を大幅に短縮することが可能である。
【０００３】
特許文献１のリニューアル工法では、既設トラス以外の部品や機器（駆動装置、ステップ、手摺駆動機構、制御機器等）を撤去し、既設トラスのみを残す。そして、既設トラスの上階側水平部と下階側水平部に夫々門型揚重装置を設ける。
【０００４】
新設トラスは、複数のトラスセグメントに分割して構成され、門型揚重装置によって新設トラスセグメントを揚重し、順次上階側又は下階側に搬送し、既設トラスに設置する。
【先行技術文献】
【特許文献】
【０００５】
【特許文献１】特開２０１５−８０９号公報
【発明の概要】
【発明が解決しようとする課題】
【０００６】
新設トラスセグメントを現場に搬入した後、既設トラスに据え付けるまで、新設トラスセグメントは現場近傍の床上などに仮置きする必要がある。しかしながら、防火扉や防火シャッター、地下鉄等の鉄道駅では改札など、障害物がすぐ近くあると、通行の邪魔になるため仮置きスペースの確保が困難である。一方で、据え付け直前まで搬入を遅らせることは作業効率の低下に繋がる。
【０００７】
本発明の目的は、新設トラスセグメントを仮置きすることのできるリニューアル工法に用いられる門型揚重装置を提供することである。
【課題を解決するための手段】
【０００８】
本発明に係る門型揚重装置は、
乗客コンベアのリニューアル工法に用いられ、既設トラスの左右の枠部材に夫々複数立設される支柱フレームを具えた門型揚重装置であって、
前記支柱フレームは、左右で対向する少なくとも２対の支柱フレーム対を具え、
前記支柱フレーム対間には、それぞれ新設トラスセグメントの仮置き用フレームが着脱可能に懸架される。
【０００９】
前記仮置き用フレームは断面略Ｌ字状であって、一方の辺が上向きとなるように配置することができる。
【００１０】
前記新設トラスセグメントには、前記仮置き用フレームの前記一方の辺が嵌まる凹みが形成されていることが望ましい。
【００１１】
前記仮置き用フレームは断面略コ字状であって、溝が上向きとなるように配置することができる。
【発明の効果】
【００１２】
本発明に係る乗客コンベアのリニューアル工法に用いられる門型揚重装置によれば、支柱フレーム対に仮置き用フレームを着脱可能としている。そして、搬入された新設トラスセグメントを仮置き用フレームに仮置きする。これにより、新設トラスセグメントを現場近傍の床上などに置いておく必要はなく、通行の邪魔にもならないから、新設トラスセグメントを予め搬入することができ、作業効率の向上を図ることができる。また、仮置きされた新設トラスセグメントの下でも作業を行なうことができる利点もある。
【００１３】
本発明によれば、仮置き用フレームを取り付けるだけの簡便な構成で門型揚重装置内に新設トラスセグメントの仮置きを行なうことができる。
【図面の簡単な説明】
【００１４】
【図１】図１は、リニューアル工法における既設トラスの一実施形態を示す斜視図である。
【図２】図２は、新設トラスセグメントの一例を示す斜視図であって、（ａ）は前側脚フレームの拡大図、（ｂ）は後側脚フレームの拡大図である。
【図３】図３は、前側脚フレームと仮置き用フレームの係合状態を示す拡大図である。
【図４】図４は、後側脚フレームと仮置き用フレームの係合状態を示す拡大図である。
【図５】図５は、既設トラスに仮置き用フレームを利用して新設トラスセグメントを仮置きした状態を示す斜視図である。
【図６】図６は、前側脚フレームと仮置き用フレームの係合状態を示す他の実施例の側面図である。
【図７】図７は、前側脚フレームと仮置き用フレームの係合状態を示す他の実施例の側面図である。
【発明を実施するための形態】
【００１５】
以下、乗客コンベアとしてエスカレーターのリニューアル工法に本発明を実施した形態につき、図面に沿って具体的に説明する。なお、以下の説明では、既設トラス１０の長手方向に沿って下階から上階へ向かう方向を「前方」、その逆方向を「後方」と称する。
【００１６】
本発明の一実施形態であるエスカレーターのリニューアル工法は、既設トラス１０を撤去することなく、その内部空間に新設トラスのトラスセグメントを設置する工法である。図１は、内部機構を除去した後の既設トラス１０の斜視図であって、上階側近傍のみを示している。既設トラス１０は、上階側水平部１１と傾斜部１２及び下階側水平部（図示せず）を含んでいる。これらは夫々左右に上階側枠部材１４，１４、傾斜部枠部材１５，１５及び下階側枠部材（図示せず）を有しており、上階側枠部材１４，１４と下階側枠部材に夫々門型揚重装置２０が設置される。なお、図示の実施形態では、門型揚重装置２０の支柱フレーム３０はすべて上階側枠部材１４，１４上に配置しているが、一部を傾斜部枠部材１５，１５に設置することもできる。
【００１７】
門型揚重装置２０は、既設トラス１０の枠部材１４，１４に設置される。門型揚重装置２０は、たとえば、枠部材１４，１４から立設される支柱フレーム２２と、支柱フレーム２２上を前後、左右に連繋する梁フレーム２４と、左右に伸びる梁フレーム２４の中央に前後に懸架された中央フレーム２６を具える。各フレーム２２，２４，２６は、Ｈ形鋼、Ｉ形鋼、山形鋼、溝形鋼、Ｚ形鋼等の鋼材を採用でき、夫々ボルト止め等によって枠部材１４，１４上に組み立てられる。
【００１８】
支柱フレーム２２は、少なくとも２対が枠部材１４，１４に対して左右で対向するよう設置される。図示ではすべての支柱フレーム２２が左右で対をなすよう設置されているが、本実施形態に関連する中央の支柱フレームの対２３ａと後方の支柱フレームの対２３ｂが夫々左右で対向していればよい。
【００１９】
中央フレーム２６は、下面にチェーンブロックを前後にスライド可能とするレール（図示せず）が装着され、チェーンブロックによって新設トラスセグメント３０等を下階側から上階側へ吊り上げ、或いは、上階側から下階側へ吊り下ろすようにしている。
【００２０】
図２は、新設トラスセグメント３０の一実施形態を示す斜視図である。本実施形態では、既設トラス１０に設置されるトラスセグメント３１と、当該トラスセグメント３１を運搬するための運搬台車３２を含めて新設トラスセグメント３０と称するが、トラスセグメント３１単体で運搬可能であれば運搬台車３２は不要である。この場合、トラスセグメント３１に下記する脚フレーム３３，３６に相当するフレームをボルト止め等により装着すればよい。
【００２１】
新設トラスセグメント３０、図示の実施形態では運搬台車３２は、Ｌ字等辺のアングル材等のフレームから構成することができる。フレームは搭載されるトラスセグメント３１がボルト等で固定されて安定する形状を具備する。なお、フレームは、Ｌ字等辺アングルに限らず、Ｌ字アングル、角形鋼管、Ｉ型鋼、Ｈ形鋼、溝型鋼、棒状鋼、板状鋼等、或いは、これらの組合せによって構成しても構わない。
【００２２】
運搬台車３２は、前方側に左右一対の前脚フレーム３３，３３、後方側に左右一対の後脚フレーム３６，３６を有する。脚フレーム３３，３６は、既設トラス１０等との底擦りや干渉を防止するために下方に向けて突出して形成されている。
【００２３】
図示の実施形態では、図２（ａ）及び図２（ｂ）に拡大して示すように、脚フレーム３３，３６には夫々下向きに開口する凹み３４，３７を形成している。これら凹み３４，３７は、後述する仮置き用フレーム４０との係合に用いられる他、既設トラス１０のステップチェーンを利用して新設トラスセグメント３０を運搬する際に、これら凹み３４，３７をステップチェーンの車軸に嵌めるために用いることができる。
【００２４】
また、脚フレーム３３，３６には、下端近傍から左右外側に向けて突出するストッパー３８が夫々突設されている。ストッパー３８は、新設トラスセグメント３０を既設トラス１０中で引き上げ又は引き下げする際に、新設トラスセグメント３０の振れを防止して、トラスセグメント３１や運搬台車３２が既設トラス１０と接触することを防止する。
【００２５】
上記構成の新設トラスセグメント３０は、既設トラス１０に搬入され、門型揚重装置２０を用いて既設トラス１０で引上げ又は引き下ろしされる。新設トラスセグメント３０を現場に搬入した後、本発明では、既設トラス１０内に据え付けるまで、新設トラスセグメント３０は門型揚重装置２０に仮置きできるようにしている。
【００２６】
具体的には、図１に示すように、新型トラスセグメント３０を門型揚重装置２０に仮置きするために、支柱フレーム対２３ａ，２３ｂには仮置き用フレーム４０が懸架される。仮置き用フレーム４０は、支柱フレーム対２３ａ，２３ｂの支柱フレーム２２に夫々ボルト止め等によって着脱可能であって、不要な場合は作業の邪魔にならないように取り外しできるようにしている。
【００２７】
仮置き用フレーム４０は、図１、図３及び図４の実施形態では断面略Ｌ字状のＬ字等辺アングルであり、図３及び図４に示すように一方の辺４２が上向きとなるように配置されている。
【００２８】
そして、新設トラスセグメント３０を門型揚重装置２０内で吊り上げた状態で、仮置き用フレーム４０を図１に示すように支柱フレーム対２３ａ，２３ｂに配置し、仮置き用フレーム４０と脚フレーム３３，３６を位置合わせし、新設トラスセグメント３０を下降させる。これにより、図３乃至図５に示すように、新設トラスセグメント３０は、脚フレーム３３，３６が仮置き用フレーム４０に載置され、門型揚重装置２０内で仮置きできる。
【００２９】
図３及び図４に示すように、本実施形態では、脚フレーム３３，３６の下端には凹み３４，３７が形成している。従って、これら凹み３４，３７をＬ字等辺アングルからなる仮置き用フレーム４０の上向きの辺４２に係合させ、水平な辺４３に脚フレーム３３，３６の下端を当接させることで、脚フレーム３３，３６は前後に位置ずれすることなく安定して載置できる。
【００３０】
上記のように、本発明によれば、門型揚重装置２０の支柱フレーム２２に仮置き用フレーム４０を取り付けるだけの簡便な構成で新設トラスセグメント３０の仮置きを行なうことができる。
【００３１】
また、本発明によれば、図５に示すように、新設トラスセグメント３０を仮置き用フレーム４０に仮置きできるようにしたことで、搬入された新設トラスセグメント３０を現場近傍の床上などの仮置きスペースに仮置きせずに済むから、仮置きスペースの確保は不要であり、仮置きにより通行が妨げられることもない。さらに、仮置きされた新設トラスセグメント３０の下でも作業を行なうことができるから、仮置きにより作業が中断することもない。加えて、新設トラスセグメント３０を仮置きできるから、据え付け直前まで新設トラスセグメント３０の搬入を遅らせる必要もなく、作業の遅延も防止できる。
【００３２】
トラスセグメントの設置作業が進み、新設トラスセグメント３０の仮置きが不要になると、新設トラスセグメント３０を吊り上げ、脚フレーム３３，３６を仮置き用フレーム４０から浮かして、仮置き用フレーム４０を支柱フレーム２２から取り外せばよい。
【００３３】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３４】
門型揚重装置２０、新設トラスセグメント３０、仮置き用フレーム４０の形状、構成は上記実施例に限定されるものではない。たとえば、脚フレーム３３（３６）と仮置き用フレーム４０の係合形態は以下のように変形することもできる。
【００３５】
図６は、Ｌ字等辺アングルからなる仮置き用フレーム４０の水平な辺４３に脚フレーム３３（３６）を載せた実施形態である。脚フレーム３３に凹みが形成されていない場合には、直接仮置き用フレーム４０の水平な辺４３に脚フレーム３３を載せればよい。もちろん、図２に示す凹み３４が形成されている脚フレーム３３であっても、図６のように載置して構わない。
【００３６】
図７は、断面略コ字状の溝型鋼（チャンネル）からなる仮置き用フレーム４０に脚フレーム３３（３６）を載せた実施形態である。溝形鋼は溝４５が上向きとなるように配置され、当該溝４５に脚フレーム３３が嵌るように載置できる。
【００３７】
なお、上記実施形態では何れも新設トラスセグメント３０の脚フレーム３３，３６を仮置き用フレーム４０に載置するようにしているが、新設トラスセグメント３０の他のフレーム等を仮置き用フレーム４０に載置しても構わない。
【００３８】
さらに、新設トラスセグメント３０の脚フレーム３３，３６の間隔が仮置き用フレーム４０の間隔と合わない場合には、前後の仮置き用フレーム４０，４０間に追加のフレームを配置して仮置きすることもできる。
【符号の説明】
【００３９】
１０  既設トラス
２０  門型揚重装置
２２  支柱フレーム
２３ａ  支柱フレーム対（前）
２３ｂ  支柱フレーム対（後）
３０  新設トラスセグメント
３１  トラスセグメント
３２  運搬台車
３３  脚フレーム（前）
３６  脚フレーム（後）
４０  仮置き用フレーム
【図１】
2018158781.tif 000003
【図２】
2018158781.tif 000004
【図３】
2018158781.tif 000005
【図４】
2018158781.tif 000006
【図５】
2018158781.tif 000007
【図６】
2018158781.tif 000008
【図７】
2018158781.tif 000009